(57)【要約】【課題】本発明は、音声付き電子体重計を介して減量を奨励する方法を提供することを課題とする。【解決手段】音声付き電子体重計は、特定のユーザ入力に応答して特定の人物の体重を測定する。音声付き電子体重計は、データ記憶ユニットを使用して特定の人物の初期体重を記憶し、隠蔽する。音声付き電子体重計は、特定のユーザ入力に応答して、特定の人物のその後の体重を隠蔽された初期体重と比較し、スピーチ合成ユニットを使用して、特定の人物に関して、初期体重の数値を表示または公表することなく、隠蔽された初期体重とその後の体重との差を告げる。【選択図】図２
2008191154.tif 000002
【特許請求の範囲】
【請求項１】
特定のユーザ入力に応答して特定の人物の体重を測定するための計量手段；
該特定の人物の初期体重を記憶し、隠蔽するための、該計量手段に結合された記憶手段；
該特定のユーザ入力に応答して、該特定の人物のその後の体重を該隠蔽された初期体重と比較するための、該計量手段および該記憶手段に結合された制御手段；ならびに
該特定の人物に関して、該初期体重を表示または公表することなく、該隠蔽された初期体重と該その後の体重との差を告げるための、該制御手段に結合されたスピーチ合成手段
を含む、減量を奨励するための音声付き電子体重計。
【請求項２】
特定の人物に関して、初期体重を表示または公表することなく、該隠蔽された初期体重と該その後の体重との差を合図するための手段を提供する発光ダイオード(LED)をさらに含む、請求項1記載の音声付き電子体重計。
【請求項３】
特定のユーザ入力が、該制御手段に結合されたボタンを押すことを含む、請求項1記載の音声付き電子体重計。
【請求項４】
スピーチ合成手段が複数の音声テーマを含む、請求項1記載の音声付き電子体重計。
【請求項５】
複数の音声テーマが軍隊系テーマを含む、請求項4記載の音声付き電子体重計。
【請求項６】
複数の音声テーマが信仰系テーマを含む、請求項4記載の音声付き電子体重計。
【発明の詳細な説明】
【技術分野】
【０００１】
1. 技術分野
本発明は概して電子体重計の分野に関し、特に音声付き電子体重計に関する。より具体的には、本発明は、音声付き電子体重計を介して減量を奨励するための改良された方法およびシステムに関する。
【背景技術】
【０００２】
発明の背景
2. 関連技術の説明
従来の電子体重計は、グラフィカル表示画面を使用してユーザの現在の体重を出力する。減量を試みるユーザに対してさらなる動機を提供するために、特定のユーザの前進(またはその欠如)に応じた音声コメントがきわめて有益であることが見出された。音声付き電子体重計は、スピーチ合成装置を使用して一つまたは複数の人の声を模倣し、それによって体重計のユーザに対してさらなる動機を提供する。
【０００３】
ダイエットを実行する人は典型的には、服のサイズを小さくしたり、単により格好よく着こなしたりなど、漠然とした目標を達成しようとする。電子体重計のユーザは、自身の体重の具体的な数値を連続的に追跡するのではなく、多くの場合、大まかな数字を重視する(すなわち10ポンド落とす)。
【０００４】
さらには、減量しようとするとき、音声付き電子体重計のユーザは、現在の体重が家族、友人または通りがかりの人に対して表示または広く公表されることを望まない可能性がある。ユーザの現在の体重の公表は、ユーザが自分の体重の数値によって当惑したりおじけづいたりする可能性があるため、音声付き電子体重計の動機付け効果を打ち消すおそれがある。したがって、音声付き体重計を介して減量を奨励するための改良された方法を提供することが望ましいであろう。
【発明の開示】
【発明が解決しようとする課題】
【０００５】
本発明は、音声付き減量体重計のための方法およびシステムを提供することを課題とする。
【課題を解決するための手段】
【０００６】
発明の概要
音声付き電子体重計を介して減量を奨励する方法、システムおよびコンピュータプログラム製品を開示する。音声付き電子体重計は、ユーザの初期体重をデータ記憶ユニットに記憶し、隠蔽し、その後ユーザの体重の数値を表示または公表することなく、記憶し、隠蔽した初期体重を、多数の時点で計測されたユーザの体重と比較する。音声付き電子体重計は、一つまたは複数の発光ダイオード(LED)、スピーチ合成ユニットおよびスピーカを使用して、記憶され、隠蔽されたユーザの初期体重とユーザの現在の体重との差の大きさに基づき、カスタマイズされた視覚的および聴覚的フィードバックをユーザに提供する。聴覚的フィードバックは、自らの減量目標を達成するようユーザを激励するために使用される話し言葉、音響効果および音楽を含む。
【０００７】
本発明の上記のおよびさらなる目的、特徴ならびに利点は、以下の詳細な説明で明らかになるであろう。
【０００８】
使用の好ましい態様、さらなる目的、およびその利点と同様に、本発明はそれ自体、添付の図面を組み合わせ読む場合、以下の実施態様の詳細な説明を参照することにより最もよく理解されるであろう。
【０００９】
本発明（１）は、特定のユーザ入力に応答して特定の人物の体重を測定するための計量手段；
該特定の人物の初期体重を記憶し、隠蔽するための、該計量手段に結合された記憶手段；
該特定のユーザ入力に応答して、該特定の人物のその後の体重を該隠蔽された初期体重と比較するための、該計量手段および該記憶手段に結合された制御手段；ならびに
該特定の人物に関して、該初期体重を表示または公表することなく、該隠蔽された初期体重と該その後の体重との差を告げるための、該制御手段に結合されたスピーチ合成手段
を含む、減量を奨励するための音声付き電子体重計である。
本発明（２）は、特定の人物に関して、初期体重を表示または公表することなく、該隠蔽された初期体重と該その後の体重との差を合図するための手段を提供する発光ダイオード(LED)をさらに含む、本発明(1)の音声付き電子体重計である。
本発明（３）は、特定のユーザ入力が、該制御手段に結合されたボタンを押すことを含む、本発明(1)の音声付き電子体重計である。
本発明（４）は、スピーチ合成手段が複数の音声テーマを含む、本発明(1)の音声付き電子体重計である。
本発明（５）は、複数の音声テーマが軍隊系テーマを含む、本発明(4)の音声付き電子体重計である。
本発明（６）は、複数の音声テーマが信仰系テーマを含む、本発明(4)の音声付き電子体重計である。
【発明の効果】
【００１０】
本発明により、音声付き減量体重計のための方法およびシステムが提供された。
【発明を実施するための最良の形態】
【００１１】
実施態様の詳細な説明
本発明は、音声付き電子体重計を介して減量を奨励する方法、システムおよびコンピュータプログラム製品を提供する。
【００１２】
まず図1Aを参照すると、本発明の態様において使用される音声付き電子体重計100の略図が示される。図示するように、音声付き電子体重計100は、複数のフットパッド105、一つまたは複数の発光ダイオード(LED)110、スピーカ115およびボタン120を含む。
【００１３】
フットパッド105は、音声付き電子体重計100がユーザの体重を測定することを可能にする。一つの態様では、音声付き電子体重計100は、LED 110を起動することにより、ユーザに対して視覚的に合図することができる。同様に、音声付き電子体重計100は、スピーカ115ならびに図1Bに示し、以下に論じるスピーチ合成プログラムおよび／または装置を使用することにより、音声出力(例えば話し言葉の激励、音響効果および／または音楽)をユーザに提供することができる。一つの好ましい態様では、ユーザはボタン120を使用して、軍隊系テーマまたは宗教的テーマを含むがこれらに限定されない事前に記憶された複数のテーマの一つを選択することにより、音声出力をカスタマイズすることができる。ユーザが軍隊系テーマを選択する場合、スピーチ合成プログラムは、訓練担当軍曹をモデルにした音声コマンド(例えば「体重計に乗れ！新入り」)を提供する。ユーザが宗教的テーマを選択する場合、スピーチ合成プログラムは、教義に基づく激励を含む音声コマンド(例えば「神は汝を愛し、減量するための意志の強さを汝に授けるでしょう」)を提供する。
【００１４】
例示する態様は複数のフットパッド105を示すが、代替態様において、音声付き電子体重計100はその代わりに、単一プラットフォームを使用してユーザの体重を計測してもよい。同様に、音声付き電子体重計100は、図1Bに図示し以下に論じるデータ記憶ユニットを使用して、多数のユーザの減量を並行的に追跡し、隠蔽することもできる。さらに別の態様では、LED 110に代えて一つまたは複数の代替光源および／またはグラフィカル出力を生成することができる表示画面(例えば液晶ディスプレイ)を用いることもできる。図1はLED 110を示すが、音声付き電子体重計100は、任意の視覚的表示装置なしで(すなわち音声出力だけで)実行することもできる。
【００１５】
例示しない態様では、音声付き電子体重計100は、ユーザが減量した量を象徴するために使用することができる多数の1ポンド重りを含むことができる。そのような態様では、ユーザが1ポンド減量するごとに、ユーザは1ポンド重りを取り出し、減量の大きさを物理的に感じるために、それをユーザが持ち運ぶポーチ(例えば「ウエストバッグ」)の中に入れ、それによりさらなる動機をユーザに提供することもできる。
【００１６】
次に図1Bを参照すると、本発明の態様で使用される音声付き電子体重計100内の電子部品の高レベルブロック図が示される。図示するように、音声付き電子体重計100は、中央処理ユニット(CPU)125、CPU 125に結合された電子的消去可能なプログラム可能読み取り専用記憶(EEPROM)データ記憶ユニット150、およびCPU 125に結合されたスピーチ合成ユニット170を含む。LED 110およびスピーカ115(図1A)がスピーチ合成ユニット170に結合されている。EEPROMデータ記憶ユニット150は、図2に示し以下に論じるように、事前に記憶された多数の音声テーマおよび一つまたは複数の隠蔽されたベースライン体重計測値を含む。
【００１７】
音声付き電子体重計100はまた、バッテリ電源ユニット155、第一の電圧調整ユニット160、第二の電圧調整ユニット165およびバッテリ残量低下チェックユニット180を含む。バッテリ電源ユニット155およびCPU 125に結合されている電圧調整ユニット160は、CPU 125に供給される電力を調整する。同様に、バッテリ電源ユニット155およびスピーチ合成ユニット170に結合されている電圧調整ユニット165は、スピーチ合成ユニット170に供給される電力を調整する。バッテリ残量低下チェックユニット180は、CPU 125に結合されており、バッテリ電源ユニット155によって供給される電力が既定レベルよりも低下したとき音声付き電子体重計100がそれをユーザに合図することを可能にする。代替態様では、音声付き電子体重計100は、壁のコンセントを介して音声付き電子体重計100の部品に電力を提供するプラグおよびAC／DC変換ユニットを含むこともできる。
【００１８】
例示する態様によると、音声付き電子体重計100は、ロードセル130、135、140および145を含むこれらに限定されない、CPU 125に結合された多数の重量センサ(例えば、変換器、圧電センサおよび／または電磁装置)を含む。CPU 125は、一つまたは複数の装置(例えばロードセル130)からのアナログ入力をCPU 125による処理のためのデジタル信号に変換するアナログ・デジタル(A/D)変換器175に結合されている。一つの態様では、キーボード制御ユニット185およびキログラム／ポンド切り換えユニット190がそれぞれCPU 125に結合されている。キログラム／ポンド切り換えユニット190は、図2に示し以下に説明するように、ボタン120(図1A)が起動(すなわちパワーオン)する、および／またはボタン120が入力コマンドをCPU 125に提供することを可能にする。キーボード制御ユニット185は、一つまたは複数の外部入力装置(例えばキーボード)が入力コマンドをCPU 125に提供することを可能にする。代替態様では、音声付き電子体重計100は、ユーザが音声付き電子体重計100を動かす、軽くたたくまたはその上に乗ることに応答して音声付き電子体重計100を起動する「シェイクウェイクアップ」ユニットを含むこともできる。
【００１９】
次に図2を参照すると、本発明の一つの態様にしたがって音声付き電子体重計を介して減量を奨励する例示的な方法が示されている。プロセスは、ブロック200で、ユーザがボタン120を押して音声付き電子体重計100を起動し、次いでボタン120を使用して、何人かの可能なユーザの一人に対応する事前に記憶された音声テーマ(例えば軍隊系テーマまたは宗教的テーマ)を選択することに応答して開始する。音声付き電子体重計100は、ブロック205に示すように、スピーチ合成ユニット170およびスピーカ115を使用して、フットパッド105に乗るようユーザを促す。
【００２０】
ブロック210に示すように、EEPROMデータ記憶ユニット150が以前に記録された隠蔽ベースライン体重を含むかどうかの判定を行う。EEPROMデータ記憶ユニット150が以前に記録された隠蔽ベースライン体重を含まない場合、音声付き電子体重計100は、ブロック215に示すように、ユーザの体重を計測し(その値をユーザに対して隠蔽しながら)、その現在の体重をオリジナル隠蔽ベースライン体重として記憶し、現在の隠蔽ベースライン体重をオリジナル隠蔽ベースライン体重に等しくセットする。音声付き電子体重計100は次いで、ブロック220に示すように、スピーカ115を使用して、言葉による指示、音響効果および／または音楽を含み得る「初期計量」ダイアログを再生し、プロセスが終了する。
【００２１】
EEPROMデータ記憶ユニット150が以前に記録された隠蔽ベースライン体重を含む場合、音声付き電子体重計100は、ブロック225に示すように、ユーザの体重を計測し、現在の体重がオリジナル隠蔽ベースライン体重より少ないかまたは等しいかを判定する。現在の体重がオリジナル隠蔽ベースライン体重を超える場合、音声付き電子体重計100は、ブロック230に示すように、スピーカ115を使用して、減量努力を増すようユーザを動機付けする「ベースライン超過」ダイアログを再生し、プロセスが終了する。
【００２２】
現在の体重がオリジナル隠蔽ベースライン体重より少ないかまたは等しい場合、ブロック235に示すように、現在の体重がオリジナル隠蔽ベースライン体重を少なくとも10ポンド下回るかどうかの判定を行う。現在の体重がオリジナル隠蔽ベースライン体重を少なくとも10ポンド下回る場合、音声付き電子体重計100は、ブロック240に示すように、オリジナル隠蔽ベースライン体重の値をEEPROMデータ記憶ユニット150からクリアする。音声付き電子体重計100は次いで、ブロック245に示すように、スピーカ115を使用して、好ましくはお祝いの音楽および／または音響効果を含む「目標達成」ダイアログを再生し、プロセスが終了する。
【００２３】
現在の体重がオリジナル隠蔽ベースライン体重を少なくとも10ポンド下回らない場合、ブロック250に示すように、現在の体重がEEPROMデータ記憶ユニット150に記憶された現在のベースライン体重未満であるかどうかの判定を行う。現在の体重が現在の隠蔽ベースライン体重未満である場合、音声付き電子体重計100は、ブロック255に示すように、現在の隠蔽ベースライン体重を現在の体重に等しくセットする。音声付き電子体重計100は次いで、ブロック260に示すように、スピーカ115を使用して、ユーザに新たな最低記録を達成したことを通知する「最低記録更新」ダイアログを再生し、プロセスが終了する。
【００２４】
現在の体重が現在の隠蔽ベースライン体重未満ではない場合、ブロック265に示すように、現在の体重が、音声付き電子体重計100によって計測された最後の体重未満であるかどうかの判定を行う。本明細書で使用する最後の体重とは、現在の体重が計測されたセッションよりも前のセッションの間にユーザが音声付き電子体重計100を使用した際に計測されたユーザの体重として定義される。現在の体重が最後の体重未満である場合、音声付き電子体重計100は、ブロック270に示すように、スピーカ115を使用して、努力を続けるようユーザを激励する「最低記録更新ではないが改善中」ダイアログを再生し、プロセスが終了する。
【００２５】
現在の体重が最後の体重未満ではない場合、音声付き電子体重計100は、ブロック275に示すように、スピーカ115を使用して、ユーザが最近体重を増やしたことを指摘する「後戻り」ダイアログを再生し、プロセスが終了する。
【００２６】
このように本発明は、音声付き電子体重計100がユーザの初期体重をEEPROMデータ記憶ユニット150に記憶し、隠蔽し、その後ユーザの体重の数値を開示することなく、その記憶した初期体重を、多数の時点で計測されたユーザの体重と比較することを可能にする。音声付き電子体重計100は、一つまたは複数のLED 110、スピーチ合成ユニット170およびスピーカ115を使用して、記憶されたユーザの初期体重とユーザの現在の体重との差の大きさに基づき、カスタマイズされた視覚的および聴覚的フィードバックをユーザに提供する。聴覚的フィードバックは、自らの減量目標を達成するようユーザを激励するために使用される話し言葉、音響効果および音楽を含む。
【００２７】
本明細書における具体的な名称の使用は単なる例であり、本発明に対するいかなる限定をも暗示するものではないことが理解されよう。したがって本発明は、限定されることなく、上記の装置／有用性などを説明するために使用される異なる術語／用語および関連する機能性を用いて実行することもできる。
【００２８】
本発明の例示的な態様は、インストールされたソフトウェアを備えた完全に機能的なデータ処理システムに関連して説明したが、当業者は、本発明の例示的な態様のソフトウェア局面は多様な形態のプログラム製品として分散することが可能であり、かつ本発明の例示的な態様が、分散を実際に実行するために使用される信号搬送媒体の特定のタイプに関わらず、等しく当てはまるということを理解する。信号搬送媒体の例は、サムドライブ、フロッピーディスク、ハードドライブ、CD-ROM、DVDなどの記録可能なタイプの媒体、ならびにデジタルおよびアナログ通信リンクなどの伝送タイプ媒体を含む。
【００２９】
好ましい態様を参照して本発明を具体的に示し、説明したが、当業者には、本発明の精神および範囲を逸脱することなく形態および詳細における様々な変更を加えることができることが理解される。
【図面の簡単な説明】
【００３０】
【図１Ａ】本発明の態様で使用される音声付き電子体重計の略図を示す。
【図１Ｂ】本発明の態様で使用される図1Aの音声付き電子体重計内の電子部品の高レベルブロック図を示す。
【図２】本発明の一つの態様にしたがって音声付き電子体重計を介して減量を奨励する例示的な方法の高レベル論理フローチャートである。
【符号の説明】
【００３１】
100  音声付き電子体重計、105  フットパッド、110  発光ダイオード(LED)、115  スピーカ、120  ボタン、125  中央処理ユニット(CPU)、130  ロードセル1、135  ロードセル2、140  ロードセル3、145  ロードセル4、150  電子的消去可能なプログラム可能読み取り専用記憶(EEPROM)データ記憶ユニット、155  バッテリ電源ユニット、160  第一の電圧調整ユニット、165  第二の電圧調整ユニット、170  スピーチ合成ユニット、175  アナログ・デジタル(A/D)変換器、180  バッテリ残量低下チェックユニット、185  キーボード制御ユニット、190  キログラム／ポンド切り換えユニット。
【図１Ａ】
2008191154.tif 000003
【図１Ｂ】
2008191154.tif 000004
【図２】
2008191154.tif 000005